(57)【要約】【課題】付加的な小基板や中継ケーブルなどを用いず、簡便かつ廉価にコネクタの先端部をコネクタ孔に挿入する位置に配置可能なコネクタ・基板アセンブリ、電子機器及びその組み立て方法を提供する。【解決手段】コネクタ２６は、基板２８に対して準備位置から実装位置までスライド可能に支持され、少なくとも実装位置においてコネクタ２６の先端が基板２８の端部の右辺２８ｂから外方に突出する。筐体１４は側面にコネクタ孔３０を備える。コネクタ２６は、準備位置ではコネクタ孔３０の枠部に非干渉であって、基板２８を筐体１４に適正に装着することができる。コネクタ２６は、実装位置では先端がコネクタ孔３０に入り込む。このようにコネクタ２６をスライド可能に支持することにより、小基板や中継ケーブルなどが不要となって部品点数の低減及び組立工程の簡便化が図られる。【選択図】図１３
2019036484.tif 000002
【特許請求の範囲】
【請求項１】
コネクタと、該コネクタが実装される基板とを備えるコネクタ・基板アセンブリであって、
前記コネクタは、前記基板に対して準備位置から実装位置までスライド可能に支持され、少なくとも前記実装位置において前記コネクタの一部が前記基板の端部から外方に突出していることを特徴とするコネクタ・基板アセンブリ。
【請求項２】
請求項１に記載のコネクタ・基板アセンブリであって、
前記コネクタがスライドする方向は、前記コネクタと該コネクタに対応する相手側コネクタとの挿脱方向であることを特徴とするコネクタ・基板アセンブリ。
【請求項３】
請求項１又は２に記載のコネクタ・基板アセンブリであって、
前記コネクタは、前記基板の第１面と第２面とを弾性的かつ摺動可能に挟持する挟持部により前記基板に支持されることを特徴とするコネクタ・基板アセンブリ。
【請求項４】
請求項３に記載のコネクタ・基板アセンブリであって、
前記挟持部は、前記コネクタがスライドする方向に略直交する方向において前記コネクタを挟んで両側にそれぞれ設けられていることを特徴とするコネクタ・基板アセンブリ。
【請求項５】
請求項３又は４に記載のコネクタ・基板アセンブリであって、
前記挟持部は、前記基板の前記第１面で当接する第１当接部と、
前記基板の前記第２面で当接する第２当接部及び第３当接部とを有し、
前記第２当接部及び前記第３当接部は、前記コネクタがスライドする方向について前記第１当接部の前後に設けられていることを特徴とするコネクタ・基板アセンブリ。
【請求項６】
請求項３〜５のいずれか１項に記載のコネクタ・基板アセンブリであって、
前記コネクタは、
前記基板に対して固定具で固定させる固定部と、
相手側コネクタに電気的に接触する電極と、
前記電極に導通するターミナルと、を有し、
前記コネクタが前記固定具により前記基板に固定されるまでは前記ターミナルは前記基板に対して非接触であり、前記固定具により前記基板に固定することにより前記挟持部の少なくとも一部が弾性変形することにより前記ターミナルが前記基板に設けられた電極パッドに接するように構成されていることを特徴とするコネクタ・基板アセンブリ。
【請求項７】
請求項１〜６のいずれか１項に記載のコネクタ・基板アセンブリであって、
前記コネクタ及び前記基板には、前記実装位置および前記準備位置に前記コネクタを位置決めする係合部及び被係合部が設けられていることを特徴とするコネクタ・基板アセンブリ。
【請求項８】
請求項１〜７のいずれか１項に記載のコネクタ・基板アセンブリであって、
前記基板は、前記コネクタの枠体が入り込んで案内される案内溝を有することを特徴とするコネクタ・基板アセンブリ。
【請求項９】
請求項１〜８のいずれか１項に記載のコネクタ・基板アセンブリであって、
前記コネクタはビス台座を有し、
前記基板は、前記コネクタが前記実装位置にあるときの前記ビス台座に対応した位置に設けられたビス孔と、
前記ビス孔と同軸状で、前記ビス台座の当接面と逆側の面に固定されたナットとを有し、
ビスが前記ビス台座及び前記ビス孔を通って前記ナットに螺合することにより前記コネクタと前記基板が固定されていることを特徴とするコネクタ・基板アセンブリ。
【請求項１０】
筐体の側面に設けられたコネクタ孔と、
一部が前記コネクタ孔に入り込んでいるコネクタと、
前記コネクタが実装された基板と、
を有する電子機器であって、
前記コネクタは、前記基板に対して準備位置から実装位置までスライド可能に支持され、少なくとも前記実装位置は前記コネクタの一部が前記基板の端部から外方に突出しており、前記コネクタは前記実装位置で固定されていることを特徴とする電子機器。
【請求項１１】
請求項１０に記載の電子機器であって、
前記基板は対向する両辺のうち一辺にのみ前記コネクタを備えるとともに他辺に他のコネクタを備え、
前記コネクタ孔は前記筐体の一方の側面に設けられ、他方の側面には他のコネクタ孔が設けられ、
前記他のコネクタは前記他のコネクタ孔に入りこんでいることを特徴とする電子機器。
【請求項１２】
請求項１１に記載の電子機器であって、
前記基板で前記両辺のうち前記一辺におけるコネクタ数が前記他辺におけるコネクタ数よりも少ないことを特徴とする電子機器。
【請求項１３】
筐体と、
前記筺体の側面に設けられたコネクタ孔と、
一部が前記コネクタ孔に入り込んでいるコネクタと、
前記コネクタが実装され、前記筐体に装着される基板と、
を有する電子機器の組み立て方法であって、
前記基板における準備位置に前記コネクタを支持する第１工程と、
前記コネクタが前記準備位置に支持された前記基板を前記筐体に装着する第２工程と、
前記コネクタを、一部が前記基板の端部から外方に突出し、かつ一部が前記コネクタ孔に入り込む実装位置までスライドさせる第３工程と、
を有することを特徴とする電子機器の組み立て方法。
【発明の詳細な説明】
【技術分野】
【０００１】
本発明は、筐体内に配置される基板と該基板に実装されるコネクタとを備えるコネクタ・基板アセンブリと、コネクタ・基板アセンブリを筐体内に備える電子機器と、その電子機器の組み立て方法に関する。
【背景技術】
【０００２】
近時のパーソナルコンピュータは多機能であり、機能に応じた多くのコネクタを搭載している。ノート型またはタブレット型のパソコンではスペース的な制約があることから、多くの種類のコネクタを搭載するために左右両側面に分配配置している場合が多い。
【０００３】
コネクタは、その先端部が筐体の側面に設けられたコネクタ孔に入りこむように配置されており、相手側のプラグコネクタが接続しやすいように配慮されている。
【０００４】
また、近時のノート型パソコンでは、意匠上の観点から上面側がやや広く、下面側がやや狭い形状となるように側面を傾斜状とするものがある。このような傾斜状の側面に対してはプラグコネクタのハウジングがコネクタ孔の枠部に干渉することのないようにコネクタを若干突出気味に配置する必要があり、コネクタ孔への挿入量を大きくする傾向にある。
【０００５】
特許文献１の図２においては、コネクタの先端部が筐体の側面に露呈するように設けられている例が示されている。
【先行技術文献】
【特許文献】
【０００６】
【特許文献１】特開２０１１−０８２２１９号公報
【発明の概要】
【発明が解決しようとする課題】
【０００７】
ノート型パソコンの筐体内部では最も大きいメイン基板の一辺にいくつかのコネクタが実装されており、組み立て時にはこれらのコネクタの先端が筐体の一方の側面のコネクタ孔に挿入されるようにメイン基板を斜め横方向から差し入れる。したがって、筐体の他方の側面に設けられるコネクタについてはメイン基板に実装しておくことができない。筐体の他方におけるコネクタ孔の枠部に干渉してしまうからである。
【０００８】
そこで、特許文献１の図２で示されるように、他方の側面に設けられるコネクタについてはメイン基板とは別の小基板に実装しておき、小基板とメイン基板とを中継ケーブル及び中継コネクタで接続しておく。
【０００９】
ところが、このようにメイン基板とは別に小基板、中継ケーブル及び中継コネクタを設けることは部品点数が多くなり、それに伴って組立工数も増大してコストアップの要因となる。また、小基板や中継ケーブルを配置するためにはある程度のスペースを確保しておく必要があり、その分メイン基板などのスペースが圧迫される。
【００１０】
本発明は、上記の課題に鑑みてなされたものであって、簡便かつ廉価にコネクタの先端部をコネクタ孔に挿入する位置に配置可能なコネクタ・基板アセンブリと、コネクタ・基板アセンブリを筐体内に備える電子機器と、その電子機器の組み立て方法を提供することを目的とする。
【課題を解決するための手段】
【００１１】
上述した課題を解決し、目的を達成するために、本発明の第１態様にかかるコネクタ・基板アセンブリは、コネクタと、該コネクタが実装される基板とを備え、前記コネクタは、前記基板に対して準備位置から実装位置までスライド可能に支持され、少なくとも前記実装位置において前記コネクタの一部が前記基板の端部から外方に突出している。
【００１２】
このようにコネクタをスライド可能に支持することにより、筐体などへの基板の組み付け時にはコネクタを準備位置に配置しておき、組み付け後には実装位置にスライドさせることができ、小基板や中継ケーブルなどが不要となって部品点数の低減及び組立工程の簡便化が図られる。
【００１３】
前記コネクタがスライドする方向は、前記コネクタと該コネクタに対応する相手側コネクタとの挿脱方向であるとよい。挿脱方向にスライドさせることにより、コネクタの先端をコネクタ孔に挿入配置させることができ、相手側コネクタを挿脱しやすくなる。
【００１４】
前記コネクタは、前記基板の第１面と第２面とを弾性的かつ摺動可能に挟持する挟持部により前記基板に支持されていてもよい。この挟持部によれば面直方向の位置決めがなされ、コネクタを簡便に支持できしかも準備位置から実装位置までスライド可能になる。
【００１５】
前記挟持部は、前記コネクタがスライドする方向に略直交する方向において前記コネクタを挟んで両側にそれぞれ設けられていてもよい。挟持部をコネクタの両側に設けることにより、該コネクタを安定して支持及びスライドさせることができる。
【００１６】
前記挟持部は、前記基板の前記第１面で当接する第１当接部と、前記基板の前記第２面で当接する第２当接部及び第３当接部とを有し、前記第２当接部及び前記第３当接部は、前記コネクタがスライドする方向について前記第１当接部の前後に設けられていてもよい。このように前後する少なくとも３点で基板を挟持することにより、コネクタが安定する。
【００１７】
前記コネクタは、前記基板に対して固定具で固定させる固定部と、相手側コネクタに電気的に接触する電極と、前記電極に導通するターミナルと、を有し、前記コネクタが前記固定具により前記基板に固定されるまでは前記ターミナルは前記基板に対して非接触であり、前記固定具により前記基板に固定することにより前記挟持部の少なくとも一部が弾性変形することにより前記ターミナルが前記基板に設けられた電極パッドに接するように構成されていてもよい。これにより、ターミナルの変形や傷を防止することができる。
【００１８】
前記コネクタ及び前記基板には、前記実装位置および前記準備位置に前記コネクタを位置決めする係合部及び被係合部が設けられていてもよい。係合部及び被係合部によりコネクタを簡便かつ正確に位置決めすることができる。
【００１９】
前記基板は、前記コネクタの枠体が入り込んで案内される案内溝を有してもよい。このような案内溝によればコネクタを安定、簡便かつ正確に案内することができる。
【００２０】
前記コネクタはビス台座を有し、前記基板は、前記コネクタが前記実装位置にあるときの前記ビス台座に対応した位置に設けられたビス孔と、前記ビス孔と同軸状で、前記ビス台座の当接面と逆側の面に固定されたナットとを有し、ビスが前記ビス台座及び前記ビス孔を通って前記ナットに螺合することにより前記コネクタと前記基板が固定されていてもよい。これによりコネクタと基板とを強固に固定することができる。
【００２１】
また、本発明の第２態様にかかる電子機器は、筐体の側面に設けられたコネクタ孔と、一部が前記コネクタ孔に入り込んでいるコネクタと、前記コネクタが実装された基板と、を有し、前記コネクタは、前記基板に対して準備位置から実装位置までスライド可能に支持され、少なくとも前記実装位置は前記コネクタの一部が前記基板の端部から外方に突出しており、前記コネクタは前記実装位置で固定されている。
【００２２】
前記基板は対向する両辺のうち一辺にのみ前記コネクタを備えるとともに他辺に他のコネクタを備え、前記コネクタ孔は前記筐体の一方の側面に設けられ、他方の側面には他のコネクタ孔が設けられ、前記他のコネクタは前記他のコネクタ孔に入りこんでいてもよい。
【００２３】
このような電子機器では、筐体への基板の組み付け時には一辺のコネクタを準備位置に支持しておくことができるので、コネクタ孔に干渉することがなく、組み付け後には実装位置までスライドさせて先端部をコネクタ孔に入り込ませることができる。したがって、両側面にコネクタを適正配置することができるとともに、小基板や中継ケーブルなどが不要となって部品点数の低減及び組立工程の簡便化が図られる。なお、基板における４辺のうち上記両辺以外の２辺について上記コネクタを設けてもよい。
【００２４】
前記基板で前記両辺のうち前記一辺におけるコネクタ数が前記他辺におけるコネクタ数よりも少ないとよい。このように、コネクタ数の少ない側に上記コネクタを設けることにより、基板組み立て後における実装位置へスライドさせる工数を抑制できる。
【００２５】
さらに本発明の第３態様にかかる、筐体と、前記筺体の側面に設けられたコネクタ孔と、一部が前記コネクタ孔に入り込んでいるコネクタと、前記コネクタが実装され、前記筐体に装着される基板と、を有する電子機器の組み立て方法は、前記基板における準備位置に前記コネクタを支持する第１工程と、前記コネクタが前記準備位置に支持された前記基板を前記筐体に装着する第２工程と、前記コネクタを、一部が前記基板の端部から外方に突出し、かつ一部が前記コネクタ孔に入り込む実装位置までスライドさせる第３工程と、を有する。
【００２６】
これにより、第２工程においてはコネクタは準備位置にあって、コネクタ孔枠などの他の部品と干渉することなく基板を筐体に装着することができる。そして、第３工程においてコネクタを実装位置までスライドさせることができ、一部をコネクタ孔内に配置させることができる。
【発明の効果】
【００２７】
本発明の上記態様では、コネクタは、基板に対して準備位置から実装位置までスライド可能に支持され、少なくとも実装位置はコネクタの一部が基板の端部から外方に突出している。このようにコネクタをスライド可能に支持することにより、筐体への基板の組み付け時にはコネクタを準備位置に配置しておくことにより筐体の一部との干渉を避け、組み付け後には実装位置にスライドさせることができる。これにより、小基板や中継ケーブルなどが不要となって部品点数の低減及び組立工程の簡便化が図られる。
【図面の簡単な説明】
【００２８】
【図１】図１は、本発明の実施形態にかかるノートブック型ＰＣの斜視図である。
【図２】図２は、背面側から見たコネクタ、コネクタ孔、スライドコネクタ実装部及びその周辺の断面図である。
【図３】図３は、コネクタの挿脱面を基準として前方左下から見た基板におけるスライドコネクタ実装部及びコネクタの斜視図である。
【図４】図４は、コネクタの挿脱面を基準として前方右上から見た基板におけるスライドコネクタ実装部及びコネクタの斜視図である。
【図５】図５は、コネクタの挿脱面を基準として前方右上から見たコネクタの斜視図である。
【図６】図６は、コネクタの挿脱面を基準として前方左下から見たコネクタの斜視図である。
【図７】図７は、コネクタの挿脱面を基準として後方左上から見たコネクタの斜視図である。
【図８】図８は、コネクタの挿脱面を基準として後方右下から見たコネクタの斜視図である。
【図９】図９は、筐体及びその内部に装着された基板を下面からみた一部断面図である。
【図１０】図１０は、基板におけるスライドコネクタ実装部の下面図である。
【図１１】図１１は、基板におけるスライドコネクタ実装部の上面図である。
【図１２】図１２は、スライドコネクタ実装部及び準備位置に支持・位置決めされたコネクタの側面図である。
【図１３】図１３は、コネクタが準備位置に支持・位置決めされた基板を筐体に装着した状態を示す図である。
【図１４】図１４は、スライドコネクタ実装部及び実装位置に支持・位置決めされたコネクタの側面図である。
【発明を実施するための形態】
【００２９】
以下に、本発明の実施形態にかかるコネクタ・基板アセンブリ、電子機器、及び電子機器の組み立て方法の実施例を図面に基づいて詳細に説明する。なお、この実施例によりこの発明が限定されるものではない。
【００３０】
図１は、本発明の実施形態にかかる電子機器であるノートブック型ＰＣ１０の斜視図および本発明の実施形態にかかるコネクタ・基板アセンブリ１２を示している。コネクタ・基板アセンブリ１２はノートブック型ＰＣ１０の筐体１４の内部に組み込まれている。本発明にかかる電子機器はノートブック型ＰＣ１０に限らず、例えばデスクトップ型ＰＣやモバイル型タブレット端末などでもよい。
【００３１】
ノートブック型ＰＣ１０は、筐体１４に対して蓋体１６がヒンジ１８により開閉可能となっており、蓋体１６を閉じることによってコンパクトになりモバイル用途に好適である。
【００３２】
筐体１４の上面にはキーボード装置２０及びタッチパッド２２が設けられている。蓋体１６の正面にはその面積の大部分を占める表示装置２４と、図示しないスピーカおよびカメラが設けられている。
【００３３】
コネクタ・基板アセンブリ１２は、筐体１４に組み込まれており、コネクタ２６と基板２８とを有する。基板２８は、ノートブック型ＰＣ１０におけるメイン基板であって筐体１４の内部においてほぼ左右両端にわたって設けられている。コネクタ２６は基板２８の右側における奥、つまり蓋体１６に近い側に設けられている。
【００３４】
説明の便宜上コネクタ２６がプラグコネクタ３２（図２参照）と対面する側を前方、その反対側を後方とする。また、図２における紙面に垂直な方向を幅方向とする。上下方向については図２の紙面の上下に準ずる。左右については図１に示すようにノートブック型ＰＣ１０を正面から見た状態を基準にする。これらの方向の呼称は説明の便宜上のものであって、発明はこれに限定されない。なお、基板２８について図２〜図４、図９〜図１４は下面又は背面から見た図であって左右が逆になっており留意されたい。
【００３５】
図２に示すように、筐体１４の側面形状は意匠上の観点から下側に向かって狭まる傾斜面となっている。コネクタ２６は筐体１４における右側面のコネクタ孔３０から先端部が露呈していて対応するプラグコネクタ３２が挿脱可能である。コネクタ２６は、例えばＵＳＢコネクタ、ＨＤＭＩ（登録商標）コネクタ、ＬＡＮコネクタ、光コネクタなどである。コネクタ２６には相手側のプラグコネクタ３２が挿脱される。コネクタ２６は筐体１４に設けられたポスト３１に対して基板２８を挟んでビス（固定具）３３によって固定されている。ビス３３は広義でボルトを含む。
【００３６】
図３は、コネクタの挿脱面を基準として前方左下から見た基板におけるスライドコネクタ実装部及びコネクタの斜視図であり、図４は、コネクタの挿脱面を基準として前方右上から見た基板におけるスライドコネクタ実装部及びコネクタの斜視図である。図３及び図４に示すように、コネクタ２６は基板２８の右側に設けられている。
【００３７】
図５、図６、図７及び図８に示すように、コネクタ２６は枠体３４及びボックス３６をベースに構成されている。枠体３４は、前方が開口したやや扁平な箱型であって、後述する基板２８における案内溝５８（図１０参照）に挿入される部分であり、内部に９つの電極３８を備えている。電極３８は相手側のプラグコネクタ３２の電極とそれぞれ導通する部分であり、枠体３４内に２段に分けて配置されている。図６では電極３８のうち５つが示されており、残る４つは隠れている。枠体３４の上下左右の４側面には、挿入されるプラグコネクタ３２を弾性的に支持する１〜３つの内側折曲片３４ａが形成されている。
【００３８】
ボックス３６は枠体３４と同幅で、枠体３４における後方の下側に設けられ、後方に延在している。ボックス３６は基板２８の下面に配置される。
【００３９】
コネクタ２６は、それぞれ左右一対となる第１突片（挟持部、第１当接部）４０，４０、第２突片（挟持部、第２当接部、固定部）４２，４２及び第３突片（挟持部、第３当接部、固定部）４４，４４を有する。これらの第１突片４０、第２突片４２及び第３突片４４は、基板２８を挟持する挟持部である。枠体３４、ボックス３６、第１突片４０、第２突片４２及び第３突片４４は、一枚の金属板を折り曲げ加工して形成されている。コネクタ２６は、さらにボックス３６内で絶縁体４６に支持された９つのターミナル４８を有する。
【００４０】
第１突片４０は、枠体３４の後方部における左右両側面から側方に突出して設けられており、後端で折り曲げて重ね合わされた重複部４０ａと、該重複部４０ａから斜め前下方に突出する傾斜部４０ｂと、先端の短い屈曲部（係合部）４０ｃとを有する。屈曲部４０ｃは、略斜め上方に向けて円弧状に略９０°屈曲している。屈曲部４０ｃは側面視で枠体３４の側面の中央近くに配置されている。
【００４１】
第２突片４２は、枠体３４の左右両側面の下端から側方に突出して設けられており、前方のビス台座４２ａと、該ビス台座４２ａから連続的に後方に延出する支持面４２ｂと、該支持面４２ｂの後端に設けられた短い屈曲部４２ｃとを有する。挿脱方向視右側の第２突片４２におけるビス台座４２ａにはビス孔４２ｅが設けられ、挿脱方向視左側の第２突片４２におけるビス台座４２ａにはビス孔４２ｄが設けられている。ビス孔４２ｅは円形であり、ビス孔４２ｄは幅方向にやや扁平の長孔である。一方のビス孔４２ｄが扁平形状であることによりビス３３（図２参照）を入れやすい。
【００４２】
支持面４２ｂは略正方形であり、ビス台座４２ａの内寄り部分と一体的に基板２８を下面から支持する。屈曲部４２ｃは、斜め後の下方に向かって緩やかに屈曲している。
【００４３】
第３突片４４は、ボックス３６の後方における左右両側面から側方及び後方に突出して設けられており、後方に突出した部分に設けられた半円状で内向き開口のビス留切欠４４ａと、中央から前方に向かってせり上がった弾性爪４４ｂと、該弾性爪４４ｂの先端に設けられた短い屈曲部４４ｃとを有する。ビス留切欠４４ａの周囲はビス台座となる。弾性爪４４ｂは、第３突片４４の一部を切欠き及び折り曲げて形成されている。屈曲部４４ｃは弾性爪４４ｂの傾斜角が緩む方向に緩やかに屈曲している。弾性爪４４ｂは、第３突片４４の平面部に対して略３０°でせり上がっており、先端の屈曲部４４ｃはやや高い位置に設定されている。第３突片４４は第２突片４２の支持面４２ｂと同じ高さで、ほぼ同幅であり、第２突片４２とともに基板２８を下面から支持する。側辺４４ｄは狭幅で屈曲されている。
【００４４】
第１突片４０、第２突片４２及び第３突片４４は、基板２８の上面（第１面）と下面（第２面）とを弾性的かつ摺動可能に挟持する挟持部として作用してコネクタ２６が基板２８に支持される。またこの挟持部によれば面直方向の位置決めがなされ、コネクタ２６を簡便に支持できしかも準備位置から実装位置までスライド可能になる。さらに、これらの挟持部は、コネクタ２６がスライドする方向に直交（または略直交）する方向においてコネクタ２６を挟んで両側にそれぞれ設けられていることから、該コネクタ２６を安定して支持及びスライドさせることができる。
【００４５】
ターミナル４８は前段に５つ、後段に４つの２段配置となっており、それぞれ電極３８と導通している。ターミナル４８は後方に向けてせり上がり、略９０°の屈曲部４８ａを有し、先端部は斜め下方を指向している。ターミナル４８における屈曲部４８ａは、弾性爪４４ｂの屈曲部４４ｃよりはやや低い位置に設定されている。
【００４６】
次に、基板２８について説明する。基板２８は両面実装のプリント基板であり、筐体１４の上下に準じて上側を上面、下側を下面とする。
【００４７】
図９に示すように、基板２８は、筐体１４内の他の機器との干渉を避ける特殊横長形状となっている。基板２８の横幅つまり左辺２８ａから右辺２８ｂまでの長さは、筐体１４の内幅よりわずかに短くなっている。基板２８の左辺２８ａは筐体１４の内部縦幅よりも短く、右辺２８ｂはコネクタ２６を実装するスライドコネクタ実装部５０に必要なだけの狭幅となっている。スライドコネクタ実装部５０の幅はコネクタ２６の幅とほぼ等しい。
【００４８】
左辺２８ａには、基板２８に実装された種類の異なる５つのコネクタ（他のコネクタ）５２が設けられており、それぞれ筐体１４の左側面に設けられたコネクタ孔（他のコネクタ孔）５４に先端部が入り込んでいる。コネクタ５２は基板２８に対してハンダ付けにより実装固定されている。コネクタ孔５４はコネクタ５２の数に応じて５つ設けられているが、４以下としていずれかのコネクタ孔５４を複数のコネクタ５２で共用してもよい。
【００４９】
基板２８には複数のビス孔５６が設けられており、ほぼ全てのビス孔５６はビス３３によって筐体１４のポスト３１（図２参照）に固定されている。コネクタ２６はビス台座４２ａでビス３３によって基板２８とともに筐体１４に固定されている。なお、図９では基板２８におけるコネクタ２６，５２以外の部品は省略しているが、ノートブック型ＰＣ１０における主要な半導体部品のほとんどが実装されている。図９から了解されるように、左側のコネクタ５２の先端は基板２８の端部である左辺２８ａから左外方（図９における右側方）に突出し、右側のコネクタ２６の先端は基板２８の端部である右辺２８ｂから右外方（図９における左側方）に突出しているので、組み立て時においてはこのままの形では左のコネクタ孔５４及び右のコネクタ孔３０にコネクタ５２及びコネクタ２６を入り込ませることはできない。そこで、後述するように、組立時においてはコネクタ２６をコネクタ孔３０の枠部に対して非干渉となる準備位置に支持・仮固定しておき、基板２８を筐体１４に装着した後にコネクタ２６を前方向にスライドさせるのである。なお、外方とは平面視で基板２８の外側に向かう方向である。
【００５０】
図１０及び図１１に示すように、スライドコネクタ実装部５０は、基板２８における他の部分から右方向に突出した形状となっており、４つのビス孔５６と、案内溝５８と、下面に設けられた９つの電極パッド６０とを有する。
【００５１】
スライドコネクタ実装部５０における４つのビス孔５６のうち２つはビス台座４２ａに対応していて右辺２８ｂの近傍に設けられ、残る２つのビス孔５６はビス留切欠４４ａに対応していてやや奥まった位置に設けられている。なお、後者のビス留切欠４４ａに対応した２つのビス孔５６の周囲には、それぞれ円環状で金属のナット６１がビス孔５６に対して同軸状に表面実装されており基板２８上のアースグランドに導通している。ナット６１は、対応するビス留切欠４４ａを備える第３突片４４の当接する下面とは逆の上面に固定されている。したがって、ビス３３及びナット６１により第３突片４４と基板２８が挟み込まれて固定される（図２参照）。
【００５２】
案内溝５８は、コネクタ２６の枠体３４を前後方向に案内する右方開口の矩形溝であり、枠体３４が摺動可能な幅に設定されている。案内溝５８における両側の内面には、第１位置決め切欠（被係合部）６２，６２と、第２位置決め切欠（被係合部）６４，６４が設けられている。第１位置決め切欠６２及び第２位置決め切欠６４は、それぞれ狭幅であって両側方に延在している。
【００５３】
案内溝５８は右辺２８ｂに対して垂直方向に形成されており、案内溝５８に枠体３４が嵌まり込むコネクタ２６は前後方向に正しく案内される。コネクタ２６の前後方向は、相手側のプラグコネクタ３２の挿脱方向かつコネクタ孔３０の開口方向であって、コネクタ２６は先端がコネクタ孔３０に正しく案内されることになり、プラグコネクタ３２を挿脱しやすくなる。
【００５４】
第１位置決め切欠６２及び第２位置決め切欠６４は、第１突片４０（図５参照）の屈曲部４０ｃが順に係合することによりスライドコネクタ実装部５０に支持されるコネクタ２６を準備位置及び実装位置に位置決めするためのものである。
【００５５】
９つの電極パッド６０は、案内溝５８よりやや奥まった位置で２段に分けて配置されており、それぞれコネクタ２６のターミナル４８（図７参照）に接触して導通する部分である。
【００５６】
次に、このように構成されるコネクタ・基板アセンブリ１２を備えるノートブック型ＰＣ１０の組み立て方法について説明する。基板２８は筐体１４に対して下面から装着する。基板２８には左辺２８ａのコネクタ５２が実装済であり、筐体１４の裏カバーは取り外されているものとする。
【００５７】
まず、図１２に示すように、基板２８における右側のスライドコネクタ実装部５０の準備位置にコネクタ２６を支持・仮固定する（第１工程）。コネクタ２６は枠体３４が案内溝５８に嵌まり込み、かつ基板２８を第１突片４０、第２突片４２及び第３突片４４で挟持することにより支持・仮固定される。コネクタ２６は、枠体３４が案内溝５８に嵌まり込むことにより、左右から支持され幅方向の位置決めがなされるとともに前後方向に安定、簡便かつ正確に案内される。
【００５８】
また、挟持部としての第１突片４０の屈曲部４０ｃは基板２８の上面を弾性的に押圧する一方、下面では第２突片４２の前方部及び第３突片４４の弾性爪４４ｂが支持している。第２突片４２及び第３突片４４は、コネクタ２６がスライドする方向について屈曲部４０ｃの前後に設けられており、このように相互に前後する少なくとも３点で基板２８を挟持することにより、コネクタ２６が上下方向に安定するとともに摺動スライド可能となっている。
【００５９】
さらに、このとき第１突片４０の屈曲部４０ｃの頂部が第１位置決め切欠６２に入り込むことによって、コネクタ２６が準備位置に位置決めされる。準備位置とは、基板２８を筐体１４に装着するときにコネクタ２６がコネクタ孔３０の枠部に干渉することのないように一時的に退避しておく位置である。図１２及び図１３に示すように、準備位置はコネクタ２６の先端が右辺２８ｂと一致するか又はさらに後方に奥まった位置に設定しておくとコネクタ孔３０の枠部に干渉する可能性がなくて好適であるが、非干渉であることが確認されていればコネクタ２６の先端が右辺２８ｂから多少突出していてもよい。
【００６０】
屈曲部４０ｃが第１位置決め切欠６２に入り込んで係合することにより、コネクタ２６は簡便かつ正確に位置決めすることができ、しかも多少の振動でもずれることがない。コネクタ２６の準備位置への位置決めは第１位置決め切欠６２以外の手段を用いてもよく、例えば枠体３４が案内溝５８の最奥部にぶつかる位置をもって準備位置としてもよい。また、準備位置及び後述の実装位置の位置決めのための係合部と被係合部は逆であってもよく、例えば案内溝５８の両側面に係合用の小突起を設けるとともに、枠体３４の側面に被係合用の小凹部を設けてもよい。
【００６１】
また、屈曲部４４ｃは基板２８の面よりもやや高い位置に設けられていることから、この時点ではターミナル４８は基板２８の下面に対して非接触となっている。
【００６２】
次に、コネクタ２６が準備位置に支持された基板２８を筐体１４に装着する（第２工程）。このとき、左辺２８ａのコネクタ５２が左側のコネクタ孔５４に入り込むように、左側がやや下方となるように傾斜させながら左斜め下方向に向かって差し入れ、そして右側を降ろす。こうして基板２８は筐体１４内で適正に配置され、図９における右側で示されるように、コネクタ５２の先端はコネクタ孔５４に正しく入り込む。また、図１３に示すように、準備位置に位置決めされたコネクタ２６は右側のコネクタ孔３０の枠部に干渉することなく、該コネクタ孔３０の内側開口に対向する位置に配置される。この後、複数のビス孔５６（図９参照）にビス３３を挿入して筐体１４のポスト３１に螺合させて基板２８を固定させる。ただし、この時点ではスライドコネクタ実装部５０における４つのビス孔５６はビス固定しない。
【００６３】
次に、図１３の矢印および図１４に示すように、準備位置のコネクタ２６を前方向にスライドさせて実装位置に移動させる（第３工程）。これにより、コネクタ２６の先端が基板２８の端部である右辺２８ｂから右外方（図２および図１４における左側方向）に突出してコネクタ孔３０に入り込む。
【００６４】
このとき、コネクタ２６は枠体３４の側面が案内溝５８によって案内され、簡便かつ正確に前方向にスライドでき、また第１突片４０、第２突片４２及び第３突片４４によって挟持・支持されていることから上下方向にも抜けてしまうことがない。
【００６５】
屈曲部４０ｃ、屈曲部４４ｃによる屈曲頂部は基板２８に対して弾性的に適度な圧力で接しており、しかもその頂部形状から軽く摺動させやすくて傷をつけることもない。また、屈曲部４４ｃは基板２８の面よりもやや高い位置に設けられていることから、この時点でもターミナル４８は基板２８の下面に対して非接触となっており基板２８に対し非接触の状態でスライドさせることができ、ターミナル４８の変形や損傷を防止できる。
【００６６】
さらに、準備位置において第１位置決め切欠６２に係合していた屈曲部４０ｃは前方に移動して第２位置決め切欠６４に係合することになり、これによりコネクタ２６は実装位置に位置決めされる。ここで、実装位置とは基板２８に対するコネクタ２６の正規の取り付け位置であって、コネクタ２６の先端がコネクタ孔３０に入り込んでいて相手側のプラグコネクタ３２（図２参照）が正しく挿脱可能な位置である。コネクタ２６のスライド操作は、例えば枠体３４を前方に向かって軽く押すだけの簡便な操作で済み、屈曲部４０ｃは従動的に第１位置決め切欠６２から抜けて第２位置決め切欠６４に入り込む。このとき、軽いクリック感が得られ、作業者はコネクタ２６が実装位置に位置決めされたことを認識できる。
【００６７】
次いで、コネクタ２６の２つのビス台座４２ａとこれに対応するスライドコネクタ実装部５０における右側２つのビス孔５６にビス３３を挿入し、裏側のポスト３１に螺合させることにより基板２８を筐体１４に対して固定する。これによりコネクタ２６及び基板２８が安定して固定できる。また、コネクタ２６の２つのビス留切欠４４ａとこれらに対応するスライドコネクタ実装部５０における残り２つのビス孔５６にビス３３を挿入し、反対側のナット６１に螺合させることにより、コネクタ２６が基板２８に対して一層確実に固定されるとともに、コネクタ２６の枠体３４及びボックス３６のアースが十分に確保されて、電気信号の送受信が安定する。基板２８の上面はポスト３１によって支持される一方、下面はコネクタ２６の支持面４２ｂ及び第３突片４４による四隅で支持され、コネクタ２６及び基板２８が安定する。
【００６８】
また、ビス３３で固定することにより弾性爪４４ｂは弾性変形して傾倒し、基板２８の下面とボックス３６が近接することになり、９つのターミナル４８が基板２８に設けられた電極パッド６０にそれぞれ接触して押圧され、安定した導通状態が確保される。なお、ナット６１は金属であってビス３３による比較的強いトルクでの螺合が可能である。したがって、弾性的なターミナル４８を比較的高剛性に設定して電極パッド６０に強く接触させることができ、確実な導通が得られる。これにより、ターミナル４８と電極パッド６０とのハンダ付け処理を省略することができるとともに、メンテナンス時などに必要に応じてコネクタ２６を基板２８から外し、基板２８を筐体１４から取り外すことも可能になる。ただし、設計条件によりターミナル４８と電極パッド６０とをハンダ付け処理してもよい。なお、ここにおけるビス３３はナット６１に適合したものであり、ボルトを含む。
【００６９】
この後、筐体１４の裏カバーを取り付けて、基板２８の筐体１４への組み立て作業が終了する。
【００７０】
上述したように、本実施形態に係るコネクタ・基板アセンブリ１２及びノートブック型ＰＣ１０においては、コネクタ２６を基板２８に対してスライド可能に支持することにより、筐体１４への基板２８の組み付け時にはコネクタ２６を準備位置に配置しておき、組み付け後には実装位置にスライドさせることができ、付加的な小基板や中継ケーブルなどが不要となって部品点数の低減及び組立工程の簡便化が図られる。小基板や中継ケーブルなどが不要になる分だけ基板２８などのスペースに余裕ができる。
【００７１】
また、コネクタ２６を必要量だけ前進させてコネクタ孔３０に入り込ませることができ、相手側のプラグコネクタ３２を適正に挿脱させることができる。特に、筐体１４の側面形状が傾斜している場合であっても、コネクタ２６をコネクタ孔３０に十分に入り込ませることにより、プラグコネクタ３２のハウジングがコネクタ孔３０の枠部に干渉することなくコネクタ２６に装着させることができる。
【００７２】
また、スライドさせるコネクタ２６は、コネクタ５２の数が多い左辺２８ａではなく右辺２８ｂの側に設けている。このように、コネクタ数の少ない側にスライド可能なコネクタ２６を設けることにより、基板２８の組み立て後における実装位置へスライドさせる工数が少なくなる。なお、基板２８における４辺のうち左右辺以外の前辺及び後辺の２辺についてコネクタ２６を設けて、その先端を対応するコネクタ孔に入り込ませるようにしてもよい。
【００７３】
本発明は、上記した実施形態に限定されるものではなく、本発明の主旨を逸脱しない範囲で自由に変更できることは勿論である。
【符号の説明】
【００７４】
１０  ノートブック型ＰＣ（電子機器）、    １２  コネクタ・基板アセンブリ、    １４  筐体、    １６  蓋体、    １８  ヒンジ、    ２０  キーボード装置、    ２２  タッチパッド、    ２４  表示装置、    ２６  コネクタ、    ２８  基板、    ２８ａ  左辺、    ２８ｂ  右辺、    ３０  コネクタ孔、    ３１  ポスト、    ３２  プラグコネクタ、    ３３  ビス、    ３４  枠体、    ３４ａ  内側折曲片、    ３６  ボックス、    ３８  電極、    ４０  第１突片（第１当接部）、    ４０ａ  重複部、    ４０ｂ  傾斜部、    ４０ｃ  屈曲部（係合部）、    ４２  第２突片（挟持部、第２当接部、固定部）、    ４２ａ  ビス台座、    ４２ｂ  支持面、    ４２ｃ  屈曲部、    ４２ｄ  ビス孔、    ４２ｅ  ビス孔、    ４４  第３突片（挟持部、第３当接部、ビス台座、固定部）、    ４４ａ  ビス留切欠、    ４４ｂ  弾性爪、    ４４ｃ  屈曲部、    ４４ｄ  側辺、    ４６  絶縁体、    ４８  ターミナル、    ５０  スライドコネクタ実装部、    ５２  コネクタ（他のコネクタ）、    ５４  コネクタ孔（他のコネクタ孔）、    ５６  ビス孔、    ５８  案内溝、    ６０  電極パッド、    ６１  ナット、    ６２  第１位置決め切欠（被係合部）、    ６４  第２位置決め切欠（被係合部）。
【図１】
2019036484.tif 000003
【図２】
2019036484.tif 000004
【図３】
2019036484.tif 000005
【図４】
2019036484.tif 000006
【図５】
2019036484.tif 000007
【図６】
2019036484.tif 000008
【図７】
2019036484.tif 000009
【図８】
2019036484.tif 000010
【図９】
2019036484.tif 000011
【図１０】
2019036484.tif 000012
【図１１】
2019036484.tif 000013
【図１２】
2019036484.tif 000014
【図１３】
2019036484.tif 000015
【図１４】
2019036484.tif 000016